(57)【要約】【課題】組立工数や部品点数及び重量の増加を招くことなく簡単な構成で基板を固定することができる基板固定構造を提供すること。【解決手段】ケース２と該ケース２に取り付けられるカバー３との間で基板４を挟持して固定する基板固定構造として、前記カバー３に係合爪３ｅ、前記ケース２に係合孔２ａをそれぞれ形成し、これらの係合爪３ｅと係合孔２ａとを係合させることによって前記ケース２に前記カバー３を取り付け、両者の間に前記基板４を挟持する構成を採用する。又、前記カバー３に撓曲可能なヒンジ片３Ｂを形成し、該ヒンジ片３Ｂの先端に突設された突起３ｂを前記基板４に当接させて該基板４を前記ケース２側に押圧する。【選択図】図２
2013153026.tif 000002
【特許請求の範囲】
【請求項１】
ケースと該ケースに取り付けられるカバーとの間で基板を挟持して固定する基板固定構造であって、
前記ケースと前記カバーの一方に係合爪、他方に係合孔をそれぞれ形成し、これらの係合爪と係合孔とを係合させることによって前記ケースに前記カバーを取り付け、両者の間に前記基板を挟持することを特徴とする基板固定構造。
【請求項２】
前記カバーに撓曲可能なヒンジ片を形成し、該ヒンジ片の先端に突設された突起を前記基板に当接させて該基板を前記ケース側に押圧することを特徴とする請求項１機差の基板固定構造。
【請求項３】
前記カバーの複数箇所に、前記基板に当接して該基板を受けるリブを突設したことを特徴とする請求項１又は２記載基板の固定構造。
【発明の詳細な説明】
【技術分野】
【０００１】
本発明は、車載用コントロールパネル等に設けられるスイッチユニットにおける基板の固定構造に関するものである。
【背景技術】
【０００２】
車載用のエアコンコントロールパネルやオーディオコントロールパネルには空調温度や風向き、音量等を調節するためのスイッチユニットが設けられるが、その一例を図６及び図７に示す。
【０００３】
即ち、図６はスイッチユニットの背面図、図７は図６のＥ−Ｅ線断面図であり、図示のスイッチユニット１０１においては、ケース１０２の背面に複数のネジ１１０によって基板１０４をカバー１０３との共締めによって取り付け、該基板１０４をケース１０２とカバー１０３とで挟持して固定し、基板１０４上に設けられたタクトスイッチ１０７にプリストロークを付与する構成が採用されている（例えば、特許文献１，２参照）。
【先行技術文献】
【特許文献】
【０００４】
【特許文献１】特許第３９６８９４４号公報
【特許文献２】特開２００９−１４３４６２号公報
【発明の概要】
【発明が解決しようとする課題】
【０００５】
しかしながら、図６及び図７に示すような従来のネジ１１０による基板１０４の固定構造にはネジ１１０が使用されるため、組立時のネジ締め工数と部品点数及び重量が増加するという問題がある。
【０００６】
本発明は上記事情に鑑みてなされたもので、その目的とする処は、組立工数や部品点数及び重量の増加を招くことなく簡単な構成で基板を固定することができる基板固定構造を提供することにある。
【課題を解決するための手段】
【０００７】
上記目的を達成するため、請求項１記載の発明は、ケースと該ケースに取り付けられるカバーとの間で基板を挟持して固定する基板固定構造であって、前記ケースと前記カバーの一方に係合爪、他方に係合孔をそれぞれ形成し、これらの係合爪と係合孔とを係合させることによって前記ケースに前記カバーを取り付け、両者の間に前記基板を挟持することを特徴とする。
【０００８】
請求項２記載の発明は、請求項１記載の発明において、前記カバーに撓曲可能なヒンジ片を形成し、該ヒンジ片の先端に突設された突起を前記基板に当接させて該基板を前記ケース側に押圧することを特徴とする。
【０００９】
請求項３記載の発明は、請求項１又は２記載の発明において、前記カバーの複数箇所に、前記基板に当接して該基板を受けるリブを突設したことを特徴とする。
【発明の効果】
【００１０】
請求項１記載の発明によれば、ネジを用いることなく係合爪と係合孔との係合によってカバーをケースに取り付けることによって、基板をケースとカバーとで挟持する構成を採用したため、組立工数や部品点数及び重量の増加を招くことなく簡単な構成で基板を固定することができる。
【００１１】
請求項２記載の発明によれば、カバーに形成された撓曲可能なヒンジ先端に突設された突起を基板に当接させて該基板をケース側に押圧するようにしたため、基板をガタ無く確実に固定することが、例えば基板に設けられたタクトスイッチに必要なプリストロークを付与することができる。
【００１２】
請求項３記載の発明によれば、カバーの複数箇所に突設されたリブを基板に当接させて該基板を受けるようにしたため、基板の撓み変形が防がれる。
【図面の簡単な説明】
【００１３】
【図１】本発明に係る基板固定構造を備えるスイッチユニットのカバーの正面図である。
【図２】図１のＡ−Ａ線断面図である。
【図３】図１のＢ−Ｂ線断面図である。
【図４】図１のＣ部拡大詳細図である。
【図５】図３のＤ部拡大詳細図である。
【図６】従来の基板固定構造を備えるスイッチユニットの背面図である。
【図７】図６のＥ−Ｅ線断面図である。
【発明を実施するための形態】
【００１４】
以下に本発明の実施の形態を添付図面に基づいて説明する。
【００１５】
図１は本発明に係る基板固定構造を備えるスイッチユニットのカバーの正面図、図２は図１のＡ−Ａ線断面図、図３は図１のＢ−Ｂ線断面図、図４は図１のＣ部拡大詳細図、図５は図３のＤ部拡大詳細図である。
【００１６】
本実施の形態の係るスイッチユニット１は、ケース２とこれの背面に取り付けられるカバー３との間に基板４を挟持するものであって、基板４はネジ等の締結部品を用いることなく固定される。
【００１７】
又、上記ケース２の表面側には外装カバー５が取り付けられ、該外装カバー５には複数の押釦スイッチ６が押圧可能に保持されており、これらの押釦スイッチ６を押すことによって前記基板４上に実装された複数のタクトスイッチ７が押圧されてＯＮされる。
【００１８】
ところで、前記カバー３の周縁は外側に向かってコの字状に折り返されて係合溝３ａが外周に沿って形成されており、この係合溝３ａには前記ケース２の背面側の端部周縁が差し込まれて係合している。このようにケース２の背面側周縁をカバー３の周縁でくわえ込むことによってケース２の剛性がカバー３によって高められるとともに、ケース２とカバー３及び基板４によって画成される密閉空間Ｓ(図２及び図３参照)に高い防塵性が確保される。
【００１９】
そして、カバー３の正面側には、図１に示すように格子状のリブ３Ａが一体に突設されており、図示の４箇所には、垂直に起立するリブ３Ａから水平に延びる撓曲可能な矩形プレート状のヒンジ片３Ｂがそれぞれ形成されており、各ヒンジ片３Ｂの先端（自由端）には円形の突起３ｂが上方に向かって一体に突設されている。尚、本実施の形態では、図５に示すように各ヒンジ片３Ｂの厚さｔは２．８ｍｍに設定され、このヒンジ片３Ｂの先端に突設された突起３ｂの高さｈは０．９ｍｍに設定されている。
【００２０】
又、カバー３の正面側の図１に示す２箇所には、前記基板４に当接して該基板４を受ける円柱状のリブ３ｃが一体に突設されている。尚、カバー３の外周壁３ｄと前記ヒンジ片３Ｂ及びリブ３ｃは同一高さに設定されており、基板４はこれらの外周壁３ｄとヒンジ片３Ｂ及びリブ３ｃによって受けられる。
【００２１】
更に、図１に示すようにカバー３の外周縁の複数箇所（本実施の形態では、９箇所）には係合爪３ｅが一体に形成されており、図２に示すようにケース２の複数箇所（カバー３の係合爪３ｅに対応する箇所）には係合孔２ａが形成されている。又、図２に示すように、ケース２の外周の複数箇所（図２には１つのみ図示）には係合爪２ｂが一体に形成されており、前記外装カバー５の複数箇所（ケース２の係合爪２ｂに対応する箇所）には係合孔５ａが形成されている。
【００２２】
而して、以上の構成を有するスイッチユニット１の組み立てに際しては、基板４がケース２内に嵌め込まれて収容された状態で、カバー３がケース２の内周に背面側から嵌め込まれて正面側（図２の右側）へと押し込まれる。すると、カバー３に形成された複数の各係合爪３ｅがケース２に形成された複数の各係合孔２ａにそれぞれ係合してカバー３がケース２の背面側に取り付けられるが、このとき、基板４がケース２とカバー３によって挟持されて固定される。このように基板４がケース２とカバー３によって挟持されて固定された状態では、基板４の背面はカバー３の外周壁３ｄと４つのヒンジ片３Ｂ及び２つのリブ３ｃによって受けられるが、該基板４の背面には４つのヒンジ片３Ｂの各先端に突設された突起３ｂが当接して基板４をケース２側に押圧するため、基板４がガタなく固定される。
【００２３】
又、外装カバー５は、ケース２の外周に正面側から嵌め込まれて背面側（図２の左側）へと押し込まれる。すると、外装カバー５に形成された複数の各係合孔５ａにケース２に形成された複数の各係合爪２ｂがそれぞれ係合するため、外装カバー５がケース２の正面側に取り付けられる。
【００２４】
以上のように、本実施の形態に係るスイッチユニット１においては、ネジを用いることなく、カバー３に形成された係合爪３ｅとケース２に形成された係合孔２ａとの係合によってカバー３をケース２に取り付けることによって、基板４をケース２とカバー３とで挟持する構成を採用したため、組立工数や部品点数及び重量の増加を招くことなく簡単な構成で基板４を固定することができる。
【００２５】
又、本実施の形態では、カバー３に形成された撓曲可能な４つのヒンジ片３Ｂの先端に突設された突起３ｂを基板４に当接させて該基板４をケース２側に押圧するようにしたため、基板４をガタ無く確実に固定することが、基板４に設けられたタクトスイッチ７に必要なプリストロークを付与することができる。
【００２６】
更に、本実施の形態では、カバー３の２箇所に突設されたリブ３ｃを基板４に当接させて該基板４を受けるようにしたため、基板４の撓み変形が防がれるという効果も得られる。
【符号の説明】
【００２７】
１        スイッチユニット
２        ケース
２ａ      ケースの係合孔
２ｂ      ケースの係合爪
３        カバー
３Ａ      カバーのリブ
３Ｂ      カバーのヒンジ片
３ａ      カバーの係合溝
３ｂ      カバーの突起
３ｃ      カバーのリブ
３ｄ      カバーの外周壁
３ｅ      カバーの係合爪
４        基板
５        外装カバー
５ａ      外装カバーの係合孔
６        押釦スイッチ
７        タクトスイッチ
ｈ        突起の高さ
Ｓ        密閉空間
ｔ        ヒンジ片の厚さ
【図１】
2013153026.tif 000003
【図２】
2013153026.tif 000004
【図３】
2013153026.tif 000005
【図４】
2013153026.tif 000006
【図５】
2013153026.tif 000007
【図６】
2013153026.tif 000008
【図７】
2013153026.tif 000009